(57)【要約】【課題】  吸口体と清掃面との気密性を向上させることにより，掃除性能を高めるとともに，高価な電動機を用いることなく，安価で使い勝手が良い電気掃除機の吸口体およびこれを備えた電気掃除機を提供する。【解決手段】    リブ状突起物を，前記ブラシ室内壁に，前記回転清掃体の外周に接するように，かつ前記回転清掃体回転軸方向において，前記ブラシ室の端から端まで連続的に設ける。【選択図】図３
2020110506.tif 000002
【特許請求の範囲】
【請求項１】
底面に吸込口を有するケース体と、吸引力を発生する掃除機本体に連通し塵埃を吸い込む継手部と、前記ケース体下面の前記吸込口の周囲あるいは一側にケース体内部の気密の漏れを防ぐ気密保持部材とを備え、前記気密保持部材は、前記ケース体を構成する複数の部品に跨って設けられることを特徴とする電気掃除機の吸口体およびこれを備えた電気掃除機。
【請求項２】
前記気密保持部材は、前記ケース体に対し着脱可能な部品に設けられることを特徴とする請求項１に記載の電気掃除機の吸口体およびこれを備えた電気掃除機。
【請求項３】
前記気密確保部材は、パイルや不織布など繊維部材で構成されていることを特徴とする請求項１又は請求項2に記載の電気掃除機の吸口体およびこれを備えた電気掃除機。
【請求項４】
前記気密確保部材は、エラストマなど軟質部材で構成されていることを特徴とする請求項１から請求項2の何れか１項に記載の電気掃除機の吸口体およびこれを備えた電気掃除機。
【発明の詳細な説明】
【技術分野】
【０００１】
本発明は、電気掃除機の吸口体及びこれを備えた電気掃除機に関する。
【背景技術】
【０００２】
本技術分野の背景技術として、特開2013-212216号公報（特許文献１）がある。この公報に開示されている電気掃除機の吸口体には、吸口ケース体の底面(清掃面側)の吸込口後方に、清掃面に接触し清掃面と吸口体の気密を保持する刷毛体が設けられている。
【先行技術文献】
【特許文献】
【０００３】
【特許文献１】特開2013-212216号公報
【発明の概要】
【発明が解決しようとする課題】
【０００４】
しかしながら特許文献１に記載の電気掃除機の吸口体は、吸口ケース体の底面が長手方向に渡って複数の部品で構成されているのに対し刷毛体は中央部の部品に設けられている。そのため刷毛体の設けられた吸込口後方中央部からの気密の漏れを防ぐことができる。
【０００５】
本発明の目的は、さらに吸口体と清掃面との気密性を向上させることにより，掃除性能を高めるとともに，騒音を低減した電気掃除機の吸口体およびこれを備えた電気掃除機を提供することにある。
【課題を解決するための手段】
【０００６】
本発明の目的は、気密保持部材を吸口ケース体の底面を構成する複数の部品に跨って設けることにより、達成される。
【発明の効果】
【０００７】
本発明によれば、吸口体と清掃面との気密性を向上させることにより，掃除性能を高めるとともに，騒音を低減した電気掃除機の吸口体およびこれを備えた電気掃除機を得られる。
【図面の簡単な説明】
【０００８】
【図１】本発明に係る電気掃除機の全体を示す外観斜視図である。
【図２】本発明に係る実施例１の吸口体の上面図である。
【図３】本発明に係る実施例１の吸口体の底面図である。
【図４】本発明に係る実施例１の吸口体の側面図である。
【図５】本発明に係る実施例１の吸口体の上側部分を取り外した状態の上面図である。
【発明を実施するための形態】
【０００９】
以下、本発明に係る実施例１について図面を参照して説明する。図１に本発明の実施例１に係る電気掃除機の外観図を示す。電気掃除機１は、操作スイッチＳＷ等が設けられた掃除機本体２と、延長管５と、吸口体６とで構成されている。
【００１０】
掃除機本体２は、吸引力を発生させる電動送風機２ａ、この電動送風機２ａの吸引力で集塵した塵埃を収容する集塵部２ｂなどを備えている。なお、本実施例では、いわゆる充電式スティック掃除機を例に挙げて説明するが、サイクロン式、紙パック式などの床移動式の電気掃除機や非充電式のスティック電気掃除機などに適用してもよい。
【００１１】
延長管５の一端は、掃除機本体２の集塵部２ｂと連通するように掃除機本体２の接続口２ｃに接続されている。また、延長管５の他端は、吸口体６に接続されている。また延長管５は、図示しない通風路が連通しており，掃除機本体２から給電される図示しない給電端子を備えている。
【００１２】
手元操作スイッチＳＷを操作することによって、電動送風機２ａの運転と停止や強中弱の切り替え、吸口体６に設けられた電動機４０（図５参照）の運転と停止が可能となっている。
【００１３】
２ｄは，掃除機本体２および吸口体６の駆動用電源である充電式電池である。
【００１４】
図２は、吸口体の上面図である。図２に示すように、吸口体６は、上面視において略Ｔ字形状を呈する吸口ケース１０と、吸口ケース１０に連結される吸口継手１３とを備えている。
【００１５】
吸口ケース１０は、上面視において、左右方向（幅方向）に細長く形成された吸口本体１１と、吸口本体１１の左右方向の中央部に吸口継手１３と連結される連結部１２とを備えている。連結部１２には、吸口本体１１と吸口継手１３とを連通させる流路Ｒ（図３参照）が形成されている。
【００１６】
吸口本体１１には、前端面から左右側面にかけてバンパ１１ａがインサート成形により設けられている。バンパ１１ａは、ゴムやエラストマー等の弾性材料、或いはポリプロピレン等の樹脂材料から形成されており、使用時に吸口本体１１内の気密を確保するとともに、電気掃除機１（図１参照）の使用時に吸口本体１１が家具等に衝突した際に、当該家具等への傷付き防止と吸口本体１１への衝撃を吸収する緩衝材の役割を果たしている。
【００１７】
なお、バンパ１１ａは必ずしもインサート成形により吸口本体１１に設けられている必要はなく、接着、ツメによる嵌合など、使用中に意図せず外れない手段により吸口本体１１に設けられていればよい。
【００１８】
吸口継手１３は、連結部１２に対して回動自在に連結される第１連結部１４と、この第１連結部１４に対して回動自在に連結される第２連結部１５とを備えている。第１連結部１４は、図２の上面視において略Ｄ字形状を呈し、連結部１２と連結される円筒形状の軸１４ａを有している。この軸１４ａは、軸方向が吸口本体１１の左右方向であって、軸１４ａの両端部が連結部１２に形成された軸受部１２ｇ（図５参照）に支持されている。また、第１連結部１４は、床面（清掃面）Ｍ（図４参照）に対して略平行な状態から略垂直な状態まで回動可能となるように構成されている。すなわち、第１連結部１４を吸口ケース１０に対して軸１４ａを支点として回動させることによって、延長管５（図１参照）を床面Ｍ（図４参照）に略平行な状態と略垂直な状態との間において回動させることができる。
【００１９】
第２連結部１５は、第１連結部１４に対して吸口本体１１の左右方向に（図２の紙面時計回り方向および反時計回り方向に）回動可能となるように構成されている。これにより、例えば、延長管５を床面Ｍに対して略垂直にした状態から、延長管５を床面Ｍに略平行な状態に向けて倒すことができる。また、第２連結部１５には、給電が行われる給電端子１５ａが設けられている。なお、本実施例の電気掃除機１（図１参照）では、吸口体６に給電する電力を、掃除機本体２から延長管５を通じて供給するように構成している。
【００２０】
図３は、吸口体の底面図である。図４は、吸口体の側面図である。図３および図４に示すように、吸口体６は、回転清掃体（回転ブラシ）２０を備えている。吸口ケース１０（吸口本体１１）には、底面（清掃面と向き合う面）に吸込口Ｐを有するブラシ室Ｑが形成されている。
【００２１】
回転清掃体２０は、吸口本体１１の左右方向に沿って前後方向の前側に配置され、ブラシ室Ｑ内に回転可能に支持されている。また、回転清掃体２０は、硬さや高さ等が異なるブラシなど複数種類のブラシ２０ａ、２０ｂと，それらをらせん状に保持するロータリーコアを備えており、吸口本体１１の左右方向（回転清掃体２０の軸方向）の一端側から他端側まで連続して設けられている。
【００２２】
なお、本実施の形態例では、２種類のブラシ２０ａ、２０ｂを配設した場合を例に挙げて説明したが、これに限定されるものではなく、１種類であってもよく、３種類以上であってもよく、また，らせん状に配置されたブラシ間にゴムなどの弾性材料からなるブレード部材をらせん状に配置する構成を追加してもよく、適宜変更することができる。このように，回転清掃体２０のブラシ構成を容易に変更できるので，たとえば木床用や絨毯用のような目的別の吸口体に対応が容易であるという効果もある。
【００２３】
また，複数のらせん状の溝に，各ブラシ２０ａ、２０ｂを挿入する構成のため，組み立て工程が容易であり，製造コストが抑えられるという効果もある。
【００２４】
吸口体６は、吸口ケース１０の底面に、ブラシ駆動スイッチ１６、車輪１７を備えている。ブラシ駆動スイッチ１６は、吸口体６の底面が床面Ｍ（清掃面）に接触しているか否かを検出するスイッチであり、車輪１６ａとともに構成されている。この車輪１６ａは、ばね等の付勢手段によって常に吸口ケース１０の底面から一部が突出するように設けられている。そして、車輪１６ａが吸口ケース１０から飛び出して床面Ｍと接触していないと検出されたときには、回路基板５０（制御基板）（図５参照）の制御によって電動機４０（図５参照）の駆動が停止され、回転清掃体２０の回転が停止する。また、車輪１６ａが押し込まれて床面Ｍと接触していると検出されたときには、回路基板５０の制御によって電動機４０が駆動され、回転清掃体２０が回転する。
【００２５】
吸口ケース１０の吸込口Ｐ後方には、吸口ケース１０に対して着脱可能な刷毛台３１が設けられており、また、吸込口Ｐの両端部には、軸受の一部を構成する一対の軸受押さえ部材６０，６１が装着され、吸口ケース１０の底面を構成している。刷毛台３１は吸込口Pの長手方向の長さと略同じ長さを有している。
【００２６】
刷毛台３１と軸受押さえ部材６０，６１は別部材のため、その間には、わずかながら隙間が生じる。その隙間は、ブラシ室Qの略後方に生じるため、気密の確保が困難である。
【００２７】
そこで、固定刷毛３０が、刷毛台３１及び軸受押さえ部材６１に跨って配設され、底面から床面Ｍ（清掃面）に接するように設けられている。固定刷毛３０は、刷毛台３１と軸受抑え部材６１の長さを合わせたものと略同じ長さを有している。
【００２８】
これによりブラシ室Ｑの気密性を向上させ微細な塵埃の集塵性能を向上させるとともに，回転清掃体２０によりはじかれた塵埃が，吸口ケース１０の底面と床面Ｍ（清掃面）との隙間をすり抜けて吸口体６の後方へ出てしまうのを防ぐ役目をしている。さらに、後方からの風の流入を防ぐことにより騒音を低減すること効果もある。また、このように固定刷毛３０が吸口ケース１０の長手方向を構成する複数の部品に跨って配設されることにより吸口ケース１０の長手方向を幅広くカバーすることができるため、これらの効果をより大きくすることができる。
【００２９】
固定刷毛３０は刷毛台３１や軸受押さえ部材６１にツメ３１ａ、６１ａにより係止されるが、接着による固定や、インサート成形、それらの組合せでも構わない。
【００３０】
このとき、固定刷毛３０が吸口ケース１０に係止されるのではなく刷毛台３１や軸受押さえ部材６１に係止されることで、組立効率を向上することができ、また、使用者が使用環境に合わせ刷毛台３１を別部材に変更することで操作性や掃除性能を調整することも可能となる。
【００３１】
なお、本実施の形態例では固定刷毛３０を吸込口Ｐの後方に設ける例に挙げて説明したが、例えばゴムやエラストマなどの軟質部材や空気を通しづらいパイルや不織布など、同様にブラシ室Ｑの気密性を保持できる部材を設けてもよい。また、固定刷毛３０は刷毛台３１と軸受部材６１の二部品に跨るように設けるよう説明したが、３部品以上の部品に跨るように設けられていてもよい。また、これらの気密保持部材は刷毛台３１を介せず直接吸口ケース１０に係止されていても良い。
【００３２】
一対の軸受押さえ部材６０，６１には、刷毛部材（刷毛）６２が配置されている。刷毛部材６２は、下面６０ｂ、６１ｂに設けられた縁部６０ｃ、６１ｃの内側に配置されている。このような刷毛部材６２が配置されていることにより、刷毛部材６２がクッション材として作用し、吸口体６が前のめりの姿勢になった時などに、吸口体６の角部が清掃面に直接触れないようにすることができ、清掃面の損傷を好適に防止することができる。
【００３３】
なお、刷毛部材６２は、回転清掃体２０よりも軸方向外側に位置するので、回転清掃体２０で捕集できなかった回転清掃体２０の外側の塵埃を好適に捕集することもできる。
【００３４】
ここで刷毛部材６２の刷毛方向は、吸口体６の後方へ向かって傾斜する形態、つまり、刷毛部材６２の刷毛方向は、吸口体６の進行方向に対して順目であるのが好ましい。これによって、刷毛部材６２が、吸口体６の進行に対して抵抗になるのを抑制することができる。
【００３５】
図５は、吸口体６の吸口ケース１０の上側部分を取り外した状態の上面図である。図５に示すように、吸口体６は、回転清掃体２０（図３参照）後方に、回転清掃体２０を駆動する電動機４０および電動機４０を制御する回路基板５０を備えている。
【００３６】
電動機４０は、吸口本体１１の左右方向の一端側に取り付けられている。また、電動機４０は、その出力軸が吸口本体１１の左右方向と平行に配置されている。また、電動機４０の出力軸は、左右方向の一端側に向けて延び、吸口本体１１内の一端部（図示左側の端部）において、歯付きベルト４１を介して回転清掃体２０と連結されている。
【００３７】
回路基板５０は、吸口本体１１の左右方向で電動機４０とは反対側に取り付けられている。また、回路基板５０は、長辺が前後方向に沿って配置された長方形状の基板やコネクタ５０ａ、５０ｂ、５０ｃを有しており、それぞれ電動機４０や吸口継手１３、ブラシ駆動スイッチ１６と連動し電動機４０の回転を制御するための図示されないマイクロスイッチが接続される。このように回路基板５０に対し電動機等をコネクタを介し接続することで、電動機の異なる他機種と回路基板５０を共用することが可能である。
【００３８】
なお、本実施の形態例では電動機４０や吸口継手１３などと回路基板５０はコネクタにより接続されているが、半田付けで接続されていてもよい。  
【符号の説明】
【００３９】
１      電気掃除機
２      掃除機本体
２ａ    電動送風機
２ｂ    集塵部
６      吸口体
２０    回転清掃体（回転ブラシ）
３０    固定刷毛
３１    刷毛台
４０    電動機
５０    回路基板（制御基板）
６０、６１  軸受押さえ部材  
２０ａ、２０ｂ    回転清掃体のブラシ
Ｐ      吸込口
Ｍ      床面
Ｑ      ブラシ室
【図１】
2020110506.tif 000003
【図２】
2020110506.tif 000004
【図３】
2020110506.tif 000005
【図４】
2020110506.tif 000006
【図５】
2020110506.tif 000007